(57)【要約】【課題】新たな機能等を付与し得る、遮音シートを備えた窓枠の遮音構造を提供する。【解決手段】窓枠の遮音構造１は、窓枠２と遮音装置３を基本構成とする。遮音装置３は、収納箱（箱体）１０と、収納箱１０に折り曲げ収納可能な遮音パネルシート２０からなる。遮音パネルシート２０は複数の遮音板２１が連結されてなり、連結部２２で屈曲可能である。窓枠２の上枠５に設けられた収納箱１０を開けると、折り畳まれた遮音パネルシート２０が下方に展開し、窓枠２の下枠２６まで展張する。機能が異なる２種類以上の遮音板２１を採用することにより、遮音パネルシート２０に多様な機能を付与することができる。【選択図】図２
2013002200.tif 000002
【特許請求の範囲】
【請求項１】
窓枠の上枠に、下面が開放自在な箱体を設け、
前記箱体内に、折り畳み収納可能な遮音パネルシートを設け、
前記遮音パネルシートは、複数の遮音板を屈曲自在に連結してなるものであり、
前記遮音パネルシートの一端は、箱体内に保持されており、
前記遮音パネルシートの他端は、箱体が開放状態にあるときに窓枠の下枠まで展張することを特徴とする窓枠の遮音構造。
【請求項２】
窓枠の両側枠に、前記遮音パネルシートの両側端をガイドするガイド部を設けたことを特徴とする請求項１に記載の窓枠の遮音構造。
【発明の詳細な説明】
【技術分野】
【０００１】
本発明は、遮音シートを設けた窓枠の遮音構造に関する。
【背景技術】
【０００２】
室内外の遮音を目的として、窓等の開口部に、遮音シート（「遮音スクリーン」、「遮音カーテン」等と称されることもある。）を昇降可能に設ける方策が知られている。当該遮音シートは、ロールスクリーン装置の形態でよく用いられている（例えば、特許文献１〜３）。例えば、窓枠の上枠に、遮音シートを内蔵したロールスクリーン装置を取り付ける。使用時には、ロールスクリーン装置から遮音シートを下方向に引き出して、窓枠全体を覆う。非使用時には、ロールスクリーン装置内の巻き取り軸に遮音シートを巻き取る。通常、１つのロールスクリーン装置に内蔵される遮音シートは１枚であり、かつ遮音シートは、巻き取り軸に巻き取り可能な程度の薄さと柔軟性を有する必要がある。
【先行技術文献】
【特許文献】
【０００３】
【特許文献１】特開平３−７６９９１号公報
【特許文献２】実開昭５８−３８８５号公報
【特許文献３】特開昭６１−２６８９１号公報
【発明の概要】
【発明が解決しようとする課題】
【０００４】
前記したロールスクリーン装置は、取り付けが簡単でかつ遮音シートの昇降を容易に行える利点を有するが、一方で、その構造に起因して、機能や使用方法に種々の制約がある。そこで本発明は、新たな機能等を付与し得る、遮音シートを備えた新規の窓枠の遮音構造を提供することを目的とする。
【課題を解決するための手段】
【０００５】
上記した課題を解決するための請求項１に記載の発明は、窓枠の上枠に、下面が開放自在な箱体を設け、前記箱体内に、折り畳み収納可能な遮音パネルシートを設け、前記遮音パネルシートは、複数の遮音板を屈曲自在に連結してなるものであり、前記遮音パネルシートの一端は、箱体内に保持されており、前記遮音パネルシートの他端は、箱体が開放状態にあるときに窓枠の下枠まで展張することを特徴とする窓枠の遮音構造である。
【０００６】
本発明の窓枠の遮音構造では、窓枠の上枠に下面が開放自在な箱体を設け、当該箱体内に折り畳み収納可能な遮音パネルシートを設けている。ここで、当該遮音パネルシートは、複数の遮音板を屈曲自在に連結してなるものである。そして本発明では、遮音パネルシートの一端は箱体内に保持されており、遮音パネルシートの他端は箱体が開放状態にあるときに窓枠の下枠まで展張する。
【０００７】
本発明の窓枠の遮音構造では、遮音パネルシートが複数の遮音板からなるので、遮音板ごとに異なる機能を付与することにより、遮音パネルシートに対して複数の機能を容易に付与することができる。さらに、本発明では遮音パネルシートが折り畳み収納可能なものであるから、遮音板の材料として、厚みが大きい材料や剛性材料を使用することができる。
【０００８】
請求項２に記載の発明は、請求項１に記載の窓枠の遮音構造において、窓枠の両側枠に、前記遮音パネルシートの両側端をガイドするガイド部を設けたことを特徴とする。
【０００９】
かかる構成により、遮音パネルシートの昇降を円滑かつ確実に行うことができる。
【発明の効果】
【００１０】
本発明の窓枠の遮音構造によれば、遮音パネルシートに対して複数の機能を容易に付与することができる。さらに、遮音パネルシートを構成する遮音板の材料として、厚みが大きい材料や剛性材料を使用することができる。
【図面の簡単な説明】
【００１１】
【図１】本発明の第一実施形態に係る窓枠の遮音構造を示す斜視図であり、遮音パネルシートを展開した状態を示す。
【図２】本発明の第一実施形態に係る窓枠の遮音構造を右側面からみた断面図であり、（ａ）は遮音パネルシートを収納した状態、（ｂ）は遮音パネルシートを展開した状態を示す。
【図３】本発明の第二実施形態に係る窓枠の遮音構造を右側面からみた断面図であり、（ａ）は遮音パネルシートを収納した状態、（ｂ）は遮音パネルシートを展開した状態を示す。
【発明を実施するための形態】
【００１２】
以下、本発明の実施形態について図面を参照しながら説明する。なお、発明の理解を容易にするために、各図面において、各部材の大きさや厚みについては一部誇張して描かれており、実際の大きさや比率等とは必ずしも一致しないことがある。さらに、本発明が以下の実施形態に限定されないことは勿論である。
【００１３】
図１、図２（ａ）、図２（ｂ）に示す本発明の第一実施形態に係る窓枠の遮音構造１は、窓枠２と遮音装置３を基本構成とするものである。
【００１４】
窓枠２は、上枠５、下枠６、および側枠（縦枠）７，７からなる枠体である。窓枠２の奥側（屋外側）の開口部には、二重サッシからなるガラス窓８が設けられている。
【００１５】
窓枠２の上枠５には、遮音装置３が取り付けられている。遮音装置３は、収納箱（箱体）１０と、収納箱１０に収納可能な遮音パネルシート２０からなる。
【００１６】
収納箱１０は、外形が細長い直方体状の箱体である。図２（ａ）、図２（ｂ）に示すように、収納箱１０は、収納箱本体１１と蓋体１２からなる。蓋体１２は収納箱本体１１の底部に開閉可能に取り付けられている。
【００１７】
正面視において、収納箱本体１１の長手方向の長さは、窓枠２の長手方向の内寸に略等しく、上枠５にちょうど収まるサイズである。一方、収納箱本体１１の奥行きの長さは窓枠２の奥行きの長さよりも短く、収納箱１１の正面は窓枠２の正面よりも奥側に位置する。
【００１８】
図１に示すように、遮音パネルシート２０は、複数の遮音板２１が連結された構造を有する。遮音板２１は、正面視が横長の長方形のパネルであり、ある程度の剛性を有する。遮音板２０の長手方向の長さは、収納箱本体１１の長手方向の内寸と略同じかやや小さい。同様に、遮音板２０の奥行き方向の長さは、収納箱本体１１の奥行き方向の内寸と略同じかやや小さい。
【００１９】
遮音パネルシート２０は、遮音板２１同士の連結部２２で屈曲可能である。そのため、遮音パネルシート２０は、連結部２２で互い違いに折り曲げることにより、折り畳むことができる（図２（ａ））。
【００２０】
遮音パネルシート２０は、収納箱１０に取り付けられている。具体的には、遮音パネルシート２０の一端たる上端２５が、収納箱本体１０の天面又はその近傍に保持されており、より詳細には、上端２５を軸として遮音パネルシート２０が揺動可能となるように固定されている。一方、遮音パネルシート２０の他端たる下端２６は固定等されておらず、自由な状態である。
【００２１】
遮音板２１の両側面（側端）２７，２７には、ローラ２８が設けられている。ローラ２８は、遮音板２１の側面に１個ずつ、計２個設けられている。ローラ２８の取り付け位置は、遮音板２１における上下方向の中央である。ローラ２８は、後述するガイドレール（ガイド部）３０に係合しており、ガイドレールに沿って走行可能である。
【００２２】
窓枠２の両側枠７，７には、それぞれガイドレール（ガイド部）３０，３０が設けられている。ガイドレール３０には、遮音板２１のローラ２８が走行可能に係合している。下方に展開した遮音パネルシート２０は、両側面２７，２７がガイドレール３０，３０によってガイドされ、ガイドレール３０，３０を含む平面上に位置することとなる。
【００２３】
遮音装置３の使用方法について説明する。
【００２４】
遮音装置３の非使用時は、遮音パネルシート２０は折り畳まれて、収納箱１０に収納されている（図２（ａ））。遮音装置３を使用する際には、収納箱１０の蓋体１２を開ける。すると、折り畳まれた遮音パネルシート２０が下方に展開し、遮音パネルシート２０の下端２６が窓枠２の下枠６まで展張する（図２（ｂ））。このとき、遮音板２１のローラ２８がガイドレール３０に沿って移動するので、展開後の遮音パネルシート２０の両側面はガイドレール３０によって位置決めされ、前後に揺動することはない。これにより、窓枠２の略全面が遮音パネルシート２０で覆われ、遮音効果を発揮する。
【００２５】
本実施形態において、機能が異なる２種類以上の遮音板２１を採用すると、遮音パネルシート２０に多様な機能を付与することができる。例えば、遮音板２１として、遮光性材料からなるものと、透光性材料からなるものの２種類を採用し、これらを組み合わせて遮音パネルシート２０を構成する。これにより、遮音パネルシート２０の透光性を自由に変えることができ、遮音性を保持しつつ、部屋内に入射する光の量を調節することができる。
【００２６】
上記した第一実施形態では、遮音パネルシート２０が収納箱１０の天面又はその近傍に保持されていたが、他の実施形態も可能である。図３（ａ），図３（ｂ）に示す第二実施形態に係る窓枠の遮音構造３１では、遮音装置３３の構成が第一実施形態と異なる。すなわち遮音装置３３では、遮音パネルシート２０の一端が収納箱１０内に保持されている点は第一実施形態と同じであるが、その保持位置が蓋体１２の裏側（内側）である。詳細には、展開時において遮音パネルシート２０の一番上に位置する遮音板２１が、蓋体１２の裏側に面接触するように保持されている。
【００２７】
遮音装置３０の非使用時の状態は第一実施形態と同様であり、遮音パネルシート２０は折り畳まれて、収納箱１０に収納されている（図３（ａ））。遮音装置３０を使用する際には、第一実施形態と同様に、収納箱１０の蓋体１２を開ける。すると、折り畳まれた遮音パネルシート２０が下方に展開し、遮音パネルシート２０の下端２６が窓枠２の下枠６まで展張する（図３（ｂ））。遮音パネルシート２０の上端２５は、蓋体１２の裏側に保持されたままである。このとき、展開後の遮音シートパネル２０の位置は、蓋体１２の裏面に沿った鉛直面上となる。なお本実施形態ではガイドレールを採用しておらず、遮音板２１にローラを設けていない。
【００２８】
本実施形態においても、機能が異なる２種類以上の遮音板２１を採用すると、遮音パネルシート２０に多様な機能を付与することができる。
【符号の説明】
【００２９】
１    遮音構造
２    窓枠
５    上枠
６    下枠
７    側枠
１０    収納箱（箱体）
２０    遮音パネルシート
２１    遮音板
２２    連結部
２５    上端
２６    下端
２７    側端
３１    遮音構造
【図１】
2013002200.tif 000003
【図２】
2013002200.tif 000004
【図３】
2013002200.tif 000005